(57)【要約】【課題】  光ファイバケーブルを屋内へ引き込むことを無くし、配線工事コストを削減し、かつ、回路設計がコスト的に有利な光メディアコンバータシステムを提供する。【解決手段】  光メディアコンバータシステムは、屋外設置光メディアコンバータ１１と屋内設置装置１２に分割され電気イーサーネットケーブル５１を介して接続される。屋内設置装置１２は、２つの電気イーサーネット終端部２１，２３、屋内から屋外へ電力を供給するための電源部２４を有する。屋外設置光メディアコンバータ１１は、光／電気変換部１１、光イーサーネット終端部１２、電気イーサーネット終端部１３、屋内から供給された電力により電源を生成するための電源部１４を有する。【選択図】      図２
2005269533.tif 000002
【特許請求の範囲】
【請求項１】
屋内設置装置と屋外設置光メディアコンバータに分割し、電気イーサーネットケーブルを介して接続したことを特徴とする光メディアコンバータシステム。
【請求項２】
前記屋内設置装置は、２つの電気イーサーネット終端部を有することを特徴とする請求項１に記載の光メディアコンバータシステム。
【請求項３】
前記屋内設置装置は、屋内から屋外へ電力を供給するための電源部を有することを特徴とする請求項１又は２に記載の光メディアコンバータシステム。
【請求項４】
前記屋内設置装置は、前記２つの電気イーサーネット終端部間にバッファ及び制御部を有することを特徴とする請求項１〜３のいずれかに記載の光メディアコンバータシステム。
【請求項５】
前記屋外設置光メディアコンバータは、光／電気変換部、光イーサーネット終端部、及び電気イーサーネット終端部を有することを特徴とする請求項１に記載の光メディアコンバータシステム。
【請求項６】
前記屋外設置光メディアコンバータは、屋内から供給された電力により電源を生成するための電源部を有することを特徴とする請求項１又は５に記載の光メディアコンバータシステム。
【発明の詳細な説明】
【技術分野】
【０００１】
本発明は、基地局から利用者宅に光ファイバケーブルを敷設した通信ネットワークにおいて、利用者宅に設置した光メディアコンバータシステムに関する。
【背景技術】
【０００２】
従来、光ファイバケーブルに接続した光メディアコンバータについて、各利用者宅における設置場所については、下記特許文献１に開示されている。
【０００３】
図３は、従来の技術における利用者宅に設置した光メディアコンバータを示す図である。
【０００４】
光メディアコンバータ３１は、屋内に設置され、電気イーサーネットケーブル３５によりルータ／コンピュータ又はハブ等の中継装置又は情報処理装置３２と、電源ケーブル３６により電力供給源３３と、屋外から引き込んだ光ファイバケーブル３４により基地局と接続される。
【０００５】
特許文献１においては、給電装置を中継装置又は情報処理装置と光メディアコンバータ間に挿入して、光メディアコンバータへの電源配線を容易にする技術が記載されている。
【０００６】
このような従来の光メディアコンバータの設置場所では、次のような課題がある。光ファイバケーブルを屋外から屋内へ引き込む必要があり、光ファイバケーブルをある一定以上の角度で曲げて配線した場合、信号レベルが減衰するという問題があり、最悪は断線してしまう恐れがあるため、配線工事に掛かるコストが大きかった。また、建物の構造によっては、光ファイバケーブルの配線が出来ないケースがあった。
【０００７】
そこで、光メディアコンバータを屋外へ設置した場合が考えられる。
【０００８】
図４は、光メディアコンバータを屋外へ設置した場合を示す図である。
【０００９】
屋外設置光メディアコンバータ４１は、電気イーサーネットケーブル４５によりルータ／コンピュータ又はハブ等の中継装置又は情報処理装置４２と、電源ケーブル４６により電力供給源４３と、光ファイバケーブル４４により基地局と接続される。
【００１０】
図５は、図４における光メディアコンバータの内部を示す図である。
【００１１】
光ファイバケーブル４４から電気イーサーネットケーブル４５までの間に、光／電気変換部５１、光イーサーネット終端部５２、バッファ及び制御部５３、電気イーサーネット終端部５４が接続され、電源ケーブル４６には電源部５５が接続される。又、内部にはアラーム検出及び表示部５６、操作部５７が有る。
【００１２】
従来は、図５に示すような光メディアコンバータの光ファイバケーブルの配線を容易にしようとした場合、図４のように、光メディアコンバータを屋外に設置しなければならなかった。
【特許文献１】特開２００３−２３４８５３号公報
【発明の開示】
【発明が解決しようとする課題】
【００１３】
しかしながら、図４に示すような場合は、屋外に光メディアコンバータの全機能が設置されてしまうため、外部環境に耐えなければならない部品の点数が多くなり、コストアップの要因となる。また、回路規模が大きいため、寿命条件を満たす環境設計、熱設計が容易ではない。
【００１４】
また、屋外へ電源ケーブルを配線しようとした場合、工事が容易ではなかった。
【００１５】
そこで、本発明の目的は、光ファイバケーブルを屋内へ引き込むことを無くし、配線工事コストを削減し、かつ、回路設計がコスト的に有利な光メディアコンバータシステムを提供することにある。
【課題を解決するための手段】
【００１６】
上述の課題を解決するため、本発明の光メディアコンバータシステムは、屋内設置装置と屋外設置光メディアコンバータに分割し、電気イーサーネットケーブルにより接続したことを特徴とする。
【００１７】
また、本発明の光メディアコンバータシステムにおいて、前記屋内設置装置は、２つの電気イーサーネット終端部を有することを特徴とする。
【００１８】
また、本発明の光メディアコンバータシステムにおいて、前記屋内設置装置は、屋内から屋外へ電力を供給するための電源部を有することを特徴とする。
【００１９】
また、本発明の光メディアコンバータシステムにおいて、前記屋内設置装置は、前記２つの電気イーサーネット終端部間にバッファ及び制御部を有することを特徴とする。
【００２０】
また、本発明の光メディアコンバータシステムにおいて、前記屋外設置光メディアコンバータは、光／電気変換部、光イーサーネット終端部、及び電気イーサーネット終端部を有することを特徴とする。
【００２１】
更に、本発明の光メディアコンバータシステムにおいて、前記屋外設置光メディアコンバータは、屋内から供給された電力により電源を生成するための電源部を有することを特徴とする。
【発明の効果】
【００２２】
本発明は、電気イーサーネットケーブルを用いて屋内に設置する装置と屋外に設置する光メディアコンバータとを接続し、屋外に設置する光メディアコンバータの回路構成を小規模とすることで、以下に記載するような効果を奏する。
【００２３】
第１の効果は、屋外設置光メディアコンバータを小型化できるため、屋外設置場所を選択することが容易になることである。
【００２４】
第２の効果は、屋外設置光メディアコンバータの消費電力を削減できるため、屋外設置光メディアコンバータの長寿命化が容易になることである。
【００２５】
第３の効果は、屋外設置環境に耐えなければならない部品の点数を少なくできるため、システム全体のコストを削減できることである。
【００２６】
また、電気イーサーネットケーブルを用いて、屋外設置光メディアコンバータへ電力を供給しているので、以下に記載するような効果を奏する。
【００２７】
第４の効果は、屋外設置光メディアコンバータが光インタフェースを終端し、屋内へ電気イーサーネットケーブルを引き込むため、配線工事を容易にできることである。
【００２８】
第５の効果は、屋外へ設置する光メディアコンバータへ電源ケーブルを配線する必要が無くなるため、設置工事を容易にできることである。
【発明を実施するための最良の形態】
【００２９】
まず、本発明の概要について述べる。
【００３０】
本発明による光メディアコンバータシステムは、従来のメディアコンバータに２つの電気イーサーネット終端部、電気イーサーネットケーブルを介して電力を供給するための電源部、及び電気イーサーネットケーブルを介して供給された電力により電源を生成するための電源部を追加して構成し、光／電気変換部、光イーサーネット終端部、電気イーサーネット終端部、及び受電機能を持つ電源部を有する屋外設置光メディアコンバータと、２つの電気イーサーネット終端部、バッファ及び制御部、操作及び各種制御部、アラーム検出及び表示部、並びに給電機能を持つ電源部を有する屋内設置装置から成っている。
【００３１】
次に、本発明の実施の形態について図面を参照して説明する。
【００３２】
図１は、本発明の実施形態における光メディアコンバータシステムを示す図である。
【００３３】
図１に示すように、本発明によるシステムは、従来の図４のシステムと比較したとき、屋外に装置の全機能を設置するのではなく、屋外設置光メディアコンバータ１１と屋内設置装置１２との２つの機能ブロックに分割することにより、屋外へ設置する光メディアコンバータの回路規模を減少させている。
【００３４】
図２は、屋外設置光メディアコンバータと屋内設置装置の内部を示す図である。
【００３５】
本発明によるシステムは、図５に示す従来の屋外設置光メディアコンバータ４１の光イーサーネット終端部５２とバッファ及び制御部５３を分割点とし、図２に示すように、分割点にそれぞれ電気イーサーネット終端部１３，２１を追加している。
【００３６】
また、電気イーサーネットケーブル５１を通じて屋内から屋外へ電力を供給するための電源部２４と供給された電力により電源を生成するための電源部１４とを有する。
【００３７】
このようにして、本発明による光メディアコンバータシステム１では、電気イーサーネットケーブル５１によって屋内と屋外とを接続する構成としているため、屋外設置光メディアコンバータ１１を小型化でき、設置工事・配線工事を容易にすることができる。
【００３８】
実施の形態について更に詳述する。
【００３９】
図１に示すように、本発明の光メディアコンバータシステム１は、屋外に設置する光メディアコンバータ１１と屋内に設置する装置１２とを電気イーサーネットケーブル５１で接続することにより構成されている。
【００４０】
図２に示すように、屋外設置光メディアコンバータ１１は、屋内設置装置１２と電気イーサーネットケーブル５１経由で電気信号による通信をする電気イーサーネット終端部１３と、光／電気信号を変換し光ファイバケーブル４経由で基地局の対向機器と通信をする光／電気変換部１１と、電気イーサーネット終端部１３と光／電気変換部１１との送受信信号のフォーマット変換をする光イーサーネット終端部１２と、電気イーサーネットケーブル５１から給電された電力を装置内部で使用する電圧に変換する電源部１４で構成される。
【００４１】
また、屋内設置装置１２は、屋外設置光メディアコンバータ１１へ電気イーサーネットケーブル５１経由で電気信号による通信をする電気イーサーネット終端部２１と、屋内設置装置１２と電気イーサーネットケーブル５２で接続されたルータ／コンピュータ／ハブ等の中継装置又は情報処理装置２との電気信号による通信をする電気イーサーネット終端部２３と、電気イーサーネット終端部２１と２３との間の速度変換、データのクロック載せ替え等を行うバッファ及び制御部２２と、システムの設定、各種制御をするための操作及び各種制御部２５と、屋外設置メディアコンバータ１１の状態、光ファイバケーブル４を経由して接続された対向機器の状態、屋内設置装置１２の状態等、システムの状態を検出し表示するアラーム検出及び表示部２６と、電力供給源３から電源ケーブル６経由で供給された電力を屋内設置装置１２で使用する電圧に変換したり、電気イーサーネットケーブル５１を経由して屋外設置光メディアコンバータ１１へ電力を供給する電源部２４により構成される。
【００４２】
以上詳細に実施の形態の構成を述べたが、図２の電気イーサーネット終端部１３，２１，２３と、光イーサーネット終端部１２、光／電気変換部１１、電気イーサーネットケーブル５１を使った電源供給方式は、当業者にとってよく知られており、また、本発明とは直接関係しないので、その詳細な構成は省略する。なお、上記実施の形態では、屋内設置装置１２は、操作及び各種制御部２５、アラーム検出及び表示部２６、バッファ及び制御部２２を含まずに構成することも有り得る。また、屋外設置光メディアコンバータ１１は、電気イーサーネット終端部１３と光イーサーネット終端部１２の間に、バッファ及び制御部を含むことも有り得る。また、屋外設置光メディアコンバータ１１は、操作及び各種制御部、アラーム検出及び表示部を含むことも有り得る。
【００４３】
［動作］
次に図１の光メディアコンバータシステム１の動作について説明する。
【００４４】
図１において、光メディアコンバータシステム１は、中継装置又は情報処理装置２が送受信する電気信号を光信号へ変換して、光ファイバケーブル４に接続された対向機器との通信を行うシステムである。
【００４５】
屋内設置装置１２は、電気イーサーネットケーブル５２から受信する電気信号のスピード変換、データのクロック載せ替え等を行って、電気イーサーネットケーブル５１へ電気信号を送信する。また、同様に、電気イーサーネットケーブル５１から受信する電気信号のスピード変換、データのクロック載せ替え等を行って、電気イーサーネットケーブル５２へ電気信号を送信する。
【００４６】
屋外設置光メディアコンバータ１２は、電気イーサーネットケーブル５１で受信する電気信号をフォーマット変換し、電気信号を光信号へ変換して、光ファイバケーブル４に接続された対向機器へ光信号を送信する。また、同様に、光ファイバケーブル４から受信する光信号を電気信号へ変換して、電気イーサーネットケーブル５１へ電気信号を送信する。
【図面の簡単な説明】
【００４７】
【図１】本発明の実施形態における光メディアコンバータシステムを示す図
【図２】屋外設置光メディアコンバータと屋内設置装置の内部を示す図
【図３】従来の技術の利用者宅に設置した光メディアコンバータを示す図
【図４】図３における光メディアコンバータの内部を示す図
【図５】光メディアコンバータを屋外へ設置した場合を示す図
【符号の説明】
【００４８】
１…光メディアコンバータシステム
１１…屋外設置光メディアコンバータ
１２…屋内設置装置
２…中継装置又は情報処理装置
３…電力供給源
４…光ファイバケーブル
５１，５２…電気イーサーネットケーブル
６…電源ケーブル
１１…光／電気変換部
１２…光イーサーネット終端部
１３，２１，２３…電気イーサーネット終端部
１４，２４…電源部
２２…バッファ及び制御部
２５…操作及び各種制御部
２６…アラーム検出及び表示部
【図１】
2005269533.tif 000003
【図２】
2005269533.tif 000004
【図３】
2005269533.tif 000005
【図４】
2005269533.tif 000006
【図５】
2005269533.tif 000007